(57)【要約】【課題】複雑な機構の追加なく、カバーが開状態のときに利用者の意に反してシートトレイが開くことを防止する。【解決手段】ファクシミリ装置１において、記録紙トレイ１０は、メンテナンスカバー２０に対する回動に伴って回動する突出部１１が設けられており、給紙ガイド３０は、メンテナンスカバー２０に対する回動に伴って、メンテナンスカバー２０が開状態のときには、突出部１１を係止する係止位置に移動して、記録紙トレイ１０の回動を規制する一方、メンテナンスカバー２０が閉状態のときには、突出部１１を解放して解放位置に移動し、記録トレイ１０の回動を可能とする係止部３１が設けられている。【選択図】図１
2011035666.tif 000002
【特許請求の範囲】
【請求項１】
シートを処理する処理部と、
装置本体に回動可能に取り付けられ、上記処理部を収納する閉状態と上記処理部を露出させる開状態との間で回動するカバーと、
上記カバーに回動可能に取り付けられた、上記シートを設置するためのシートトレイと、
上記カバーに回動可能に取り付けられた、上記シートトレイに設置されたシートを上記処理部に導くためのガイドと、を備えたシート処理装置において、
上記シートトレイは、上記カバーに対する回動に伴って回動する突出部が設けられており、
上記ガイドは、上記カバーに対する回動に伴って、上記カバーが開状態のときには、上記突出部を係止する係止位置に移動して、上記シートトレイの回動を規制する一方、上記カバーが閉状態のときには、該突出部を解放する解放位置に移動して、上記シートトレイの回動を可能とする係止部が設けられていることを特徴とするシート処理装置。
【請求項２】
上記ガイドは、上記カバーに対する回動により、上記シートを処理部に導くための搬送路を形成する位置にあるとき、上記係止部を上記解放位置に配置する一方、上記シートを上記搬送路から解放する位置にあるとき、上記係止部を上記係止位置に配置することを特徴とする請求項１に記載のシート処理装置。
【請求項３】
上記ガイドは、上記シートトレイが開くときに上記突出部が回動する方向以外の方向への該突出部の動きを規制する動作規制部を備えることを特徴とする請求項１または２に記載のシート処理装置。
【発明の詳細な説明】
【技術分野】
【０００１】
本発明はシートを処理するシート処理装置に関する。
【背景技術】
【０００２】
従来、ファクシミリ装置等において、記録紙をセットする記録紙トレイと、記録紙トレイにセットした記録紙を、印刷処理を行う処理部に搬送するための給紙ガイドとを備えるものがある。
【０００３】
そして、省スペース化を図るべく、ファクシミリ装置を使用しない場合には、記録紙トレイを収納しておくことができるものもある。例えば、カバーに記録紙トレイが回転可能に取り付けられており、ファクシミリ装置を使用するときには記録紙トレイを開いて使用し、一方、ファクシミリ装置を使用しないときには、記録紙トレイを閉じておくことができるようなものもある。
【０００４】
このようなファクシミリ装置について、図７、図８を用いて例示すると次のとおりである。
【０００５】
図７に示すように、印刷処理部等の内部構造を覆うメンテナンスカバー１２０には、記録紙トレイ１１０が、軸Ｐ１０１を回動軸として回動可能なように取り付けられている。
【０００６】
すなわち、記録紙トレイ１１０を、軌跡Ｔ１０１に沿って、矢印Ｋ１１１の向きに回動させて開いたり、矢印Ｋ１１２の向きに回動させて閉じたりすることができる。
【０００７】
このように、記録紙トレイ１１０が開閉可能となっているので、ファクシミリ装置１００を使用しないときには、図７に示すように、記録紙トレイ１１０を閉じておくことができる。
【０００８】
そして、ファクシミリ装置１００を使用するときには、図８に示すように、記録紙トレイ１１０だけを、軌跡Ｔ１０１の矢印Ｋ１１１の向きに開けた状態にして用いる。例えば、ファクシミリを送受信する場合や、受信したファクシミリを印刷したりする場合等である。
【０００９】
また、メンテナンスカバー１２０には、記録紙トレイ１１０に設置される記録紙を、印刷処理を行う処理部に対して導く給紙ガイド１３０が設けられている。すなわち、給紙ガイド１３０は、図８において、処理部に記録紙を搬送するための搬送路を形成している。なお、給紙ガイド１３０は、軸Ｐ１０３を回動軸として回動可能なようにメンテナンスカバー１２０に取り付けられている。
【００１０】
なお、従来のファクシミリ装置等の構造に関しては、次に示す特許文献１や、特許文献２のようなものが知られている。
【００１１】
特許文献１には、記録体交換時に開いたカバーによって、給紙部にセットされている被記録体が損傷しないようにするための構造が開示されている。
【００１２】
また、特許文献２には、カバーのヒンジベースに設けられた突起部と、ヒンジ受けに設けられた孔部とが嵌合されることでカバーが開閉可能に構成されており、カバーが予め定めた角度を超えて開かれようとした場合、両者の嵌合が外れることで、カバー開閉時の回動軸となるヒンジが損傷することを防止する機構が開示されている。
【先行技術文献】
【特許文献】
【００１３】
【特許文献１】特開２００３−１２５１６０号公報（２００３年４月２５日公開）
【特許文献２】特開２００６−２０３７７７号公報（２００６年８月３日公開）
【発明の概要】
【発明が解決しようとする課題】
【００１４】
ところで、このようなファクシミリ装置では、多くの場合において、装置内部に備えられたインク等の交換や、紙詰まりの解消等、ファクシミリ装置の保守・点検のために、開閉可能なカバーが設けられており、このカバーを開いて、内部構造にアクセスすることができるようになっている。
【００１５】
例えば、図９に示すように、メンテナンスカバー１２０は、筐体１０５に対して、軸Ｐ１０２を回動軸として、軌跡Ｔ１０２に沿って回動可能なように取り付けられている。そして、メンテナンスカバー１２０は、軸Ｐ１０２を回動軸として、矢印Ｋ１２１の向きに回動して開いたり、矢印Ｋ１２２の向きに回動して閉じたりすることができる。なお、同図では、矢印Ｆ１００の向きをファクシミリ装置１００の前面とし、矢印Ｂ１００の向きを、ファクシミリ装置１００の背面とする。
【００１６】
紙詰まり等の場合は、図９に示すように、内部構造を覆うメンテナンスカバー１２０を開けて、記録紙を取り出すことになるが、このとき、給紙ガイド１３０は、処理部へ搬送されている記録紙を搬送路から解放する位置に移動する。
【００１７】
ここで、図７〜図９に例示したような従来技術では、記録紙トレイ１１０は、メンテナンスカバー１２０の開閉状態によらずに回動可能に、メンテナンスカバー１２０に取り付けられている。そのため、内部構造を覆うメンテナンスカバー１２０を開けたとき、記録紙トレイ１１０が自重によりファックス装置１００の背面に開いてしまうという不都合があった。
【００１８】
図９を用いて、具体的に示すと次のとおりである。すなわち、メンテナンスカバー１２０を、矢印Ｋ１２１の向きに軌跡Ｔ１０２に沿って開いていくと、これに伴い、記録紙トレイ１１０が、自重によって矢印Ｋ１１１の向きに、軌跡Ｔ１０１に沿って、稼動範囲の限度まで開いてしまっていたのである。
【００１９】
そのため、このようなファックス装置を、壁際に背面を壁に対向させて設置した場合、利用者が処理部をはじめとする内部構造にアクセスするためにカバーを開いた際に、利用者の意図に反して記録紙トレイが開いて、記録紙トレイが壁に衝突してしまうという不都合があった。このため、記録紙トレイの衝突を回避するには、ファックス装置を、壁から距離をおいて設置しなければならず、その分、ファックス装置の設置に余分なスペースが必要であった。
【００２０】
そして、記録紙トレイが壁に衝突しないように、壁から距離をおいてファックス装置を設置しても、カバーを開いたときに、記録紙トレイが勢いよく開いてしまうと、記録紙トレイの回動軸付近のヒンジ部に負担がかかり、ヒンジ部が破損するおそれがあった。
【００２１】
また、このようなヒンジ部の破損に備えて、記録紙トレイをカバーに固定する部品を別途設けることは、部品点数の増加につながる。これにより、製造コストの増大を招きかねないし、ファックス装置の機構が複雑になってしまう。
【００２２】
本発明は、上記の問題点に鑑みてなされたものであり、その目的は、複雑な機構を設けなくても、カバーが開状態のときに利用者の意に反してシートトレイが開くことを防止することができるシート処理装置を実現することにある。
【課題を解決するための手段】
【００２３】
上記の課題を解決するために、本発明は、シートを処理する処理部と、装置本体に回動可能に取り付けられ、上記処理部を収納する閉状態と上記処理部を露出させる開状態との間で回動するカバーと、上記カバーに回動可能に取り付けられた、上記シートを設置するためのシートトレイと、上記カバーに回動可能に取り付けられた、上記シートトレイに設置されたシートを上記処理部に導くためのガイドと、を備えたシート処理装置において、上記シートトレイは、上記カバーに対する回動に伴って回動する突出部が設けられており、上記ガイドは、上記カバーに対する回動に伴って、上記カバーが開状態のときには、上記突出部を係止する係止位置に移動して、上記シートトレイの回動を規制する一方、上記カバーが閉状態のときには、該突出部を解放する解放位置に移動して、上記シートトレイの回動を可能とする係止部が設けられていることを特徴とする。
【００２４】
本発明に係るシート処理装置は、薄板や紙を処理する装置である。シート処理装置の例としては、印刷装置、ファクシミリ装置などが挙げられる。
【００２５】
また、シート処理装置が備える処理部は、例えば、シートに印字等の印刷処理を行うものである。
【００２６】
ここで、シートトレイは、上記カバーに回動可能に取り付けられているので、上記カバーが開いていき処理部が露出する開状態になると、自重により上記カバーの開方向に回動しようとする。
【００２７】
上記構成によれば、係止部は、カバーの開状態時には、上記カバーに対するガイドの回動に伴って、上記突出部を係止する係止位置に移動するので、係止部は、シートトレイの回動を規制することができる。
【００２８】
その一方で、係止部は、カバーの閉状態時には、上記カバーに対するガイドの回動に伴って、上記突出部を解放する解放位置に移動する。よって、このとき、シートトレイは、係止部による回動規制は受けない。
【００２９】
この結果、複雑な機構を設けなくても、カバーが開状態のときに利用者の意に反してシートトレイが開くことを防止することができるという効果を奏する。
【００３０】
例えば、保守時において、カバーが、開状態となっているときにおいても、シートトレイが回動するのを規制することができる。
【００３１】
また、カバーが開状態のときにシートトレイが開くのを防止できるので、装置の設置に際して、余分なスペースを必要としない。また、シートトレイが開いたときの衝撃により回動軸付近に負担をかけることもない。
【００３２】
また、シートトレイが回動するのを規制するための部品を別途設ける必要もないので、シート処理装置の機構が複雑になることを防ぐとともに、部品点数の増加および製造コストの増加を抑えることもできる。
【００３３】
また、本発明に係るシート処理装置では、上記ガイドは、上記カバーに対する回動により、上記シートを処理部に導くための搬送路を形成する位置にあるとき、上記係止部を上記解放位置に配置する一方、上記シートを上記搬送路から解放する位置にあるとき、上記係止部を上記係止位置に配置することが好ましい。
【００３４】
上記構成によれば、カバーが閉状態のときに、ガイドが、シートを処理部に導くための搬送路を形成する位置に移動し、上記カバーが開状態のときに、上記ガイドが、シートを上記搬送路から解放する位置に移動するような所定構成のシート処理装置であれば、ガイドがシートを処理部に導くための搬送路を形成する位置にあるときには、係止部が解放位置に移動することになり、ガイドがシートを搬送路から解放する位置にあるときは、係止部が係止位置に移動することになる。
【００３５】
従って、上記所定構成のシート処理装置であれば、ガイドの移動を利用して、係止部を移動させることができるので、上記ガイドの構造を大きく変更することなく係止部を設けることが可能となる。
【００３６】
また、本発明に係るシート処理装置では、上記ガイドは、上記カバーの開状態時に、上記シートトレイが開くときに上記突出部が回動する方向以外の方向への上記突出部の動きを規制する動作規制部を備えることが好ましい。
【００３７】
上記構成によれば、係止部が突出部の回動方向への回動動作を規制するのに加えて、突出部の回動方向以外の方向への突出部の動きを規制するので、カバーの開状態時において、シートトレイをより安定して保持することができるという効果を奏することができる。
【発明の効果】
【００３８】
本発明に係るシート処理装置は、シートトレイは、上記カバーに対する回動に伴って回動する突出部が設けられており、ガイドは、上記カバーに対する回動に伴って、カバーが開状態のときには、上記突出部を係止する係止位置に移動して、上記シートトレイの回動を規制する一方、上記カバーが閉状態のときには、該突出部を解放する解放位置に移動して、上記シートトレイの回動を可能とする係止部が設けられている構成である。
【００３９】
よって、複雑な機構を設けなくても、カバーが開状態のときに利用者の意に反してシートトレイが開くことを防止することができる。
【図面の簡単な説明】
【００４０】
【図１】本発明に係る一実施形態であるファックス装置を示すものであり、メンテナンスカバーが開状態のときの形態を示す模式図およびその要部を拡大した要部拡大図である。
【図２】上記ファクシミリ装置の外観について示した上面図である。
【図３】上記ファクシミリ装置の分解斜視図である。
【図４】記録紙トレイおよびメンテナンスカバーが閉状態であるときの上記ファックス装置の形態を示す模式的断面図およびその要部を拡大した要部拡大図である。
【図５】メンテナンスカバーを閉状態とし、記録紙トレイを開状態としたときの上記ファックス装置の形態を示す模式的断面図およびその要部を拡大した要部拡大図である。
【図６】メンテナンスカバーが開状態であるときの上記ファックス装置の形態を示す模式的断面図およびその要部を拡大した要部拡大図である。
【図７】従来のファクシミリ装置に係る一形態について示した模式的断面図である。
【図８】従来のファクシミリ装置に係る一形態について示した模式的断面図である。
【図９】従来のファクシミリ装置に係る一形態について示した模式的断面図である。
【発明を実施するための形態】
【００４１】
本発明のシート処理装置に関する一実施形態について図１〜図６に基づいて説明すれば以下のとおりである。
【００４２】
本実施形態では、シート処理装置としてのファックス装置１について説明する。
【００４３】
（シート処理装置の外観について）
まず、図２を用いて、ファクシミリ装置（シート処理装置）１の外観について説明する。図２は、ファクシミリ装置１の外観について示した上面図である。
【００４４】
図２に示すように、ファクシミリ装置１は、筐体（装置本体）５、記録紙トレイ（シートトレイ）１０と、メンテナンスカバー（カバー）２０と、受話器４０と、前面パネル５０とを備える構成である。
【００４５】
本実施形態では、ファクシミリ装置１は、例示的に、ファクシミリを送受信するファクシミリ送信機能、受信したファクシミリを印刷するファクシミリ印刷機能、および電話機能等を備えるものとしている。また、ファクシミリ装置１は、説明の便宜上、例示的に、ファクシミリ受信機能により、受信したファクシミリを、装置が内蔵するメモリにファクシミリデータとして記憶することができ、当該メモリに記憶されたファクシミリデータの内容をファクシミリ印刷機能により印刷できるものとする。
【００４６】
筐体５は、ファクシミリ送受信、印刷等の各種機能を実現するための構成を搭載するためのものである。例えば、筐体５には、図２には図示していないが、ファクシミリ送信時に、ファクシミリする内容を送信用紙から読み取るためのＣＩＳ（Contact Image Sensor）や、ファクシミリ送受信機能を実現するための通信部、各種設定情報や、受信したファクシミリを記憶するためのメモリ、ファクシミリデータを印刷するための印刷処理部、および各種制御を行うための制御部等が搭載されている。なお、印刷処理部の詳細については後述する。
【００４７】
記録紙トレイ１０は、ファクシミリ印刷するための記録紙を設置するためのものである。記録紙トレイ１０は、メンテナンスカバー２０に回動可能に取り付けられており、開閉可能となっている。図２においては、記録紙トレイ１０が閉じられた閉状態のときについて図示しているが、ファクシミリ印刷時には、ファクシミリ装置１は、記録紙トレイ１０が開かれた開状態で使用される。記録紙トレイ１０の開状態および閉状態の詳細については、後述する。
【００４８】
また、記録紙トレイ１０に設置された記録紙は、給紙ガイド３０（図１）によって、装置内部に供給され、サーマルヘッド等から構成される印刷処理部において印刷が行われる。なお、給紙ガイド３０の詳細については、後述する。
【００４９】
なお、記録紙トレイ１０は、記録紙の給紙方向の長さを延長できるように、収納式の延長トレイを備えていてもよい。すなわち、ファックス装置１では、ファックス印刷時に、記録紙トレイ１０が備える延長トレイを引き出して、記録紙を保持することができるようになっていてもよい。
【００５０】
メンテナンスカバー２０は、ファックス送受信、印刷等の各種機能を実現するための処理部を収納する外装の一部である。メンテナンスカバー２０は、筐体５に回動可能なように取り付けられており、開閉可能となっている。
【００５１】
メンテナンスカバー２０は、ファクシミリ装置１が備える各種機能を使用する場合において、通常は、閉じた状態、すなわち、メンテナンスカバー２０によって、各種機能を実現するための処理部が収納された閉状態で用いられる。
【００５２】
メンテナンスカバー２０が開かれるのは、例えば、インクリボンの交換や、記録紙の紙詰まりを解消するため等の保守目的のために、処理部にアクセスする必要が生じた場合である。すなわち、保守時には、処理部にアクセスするために、処理部が露出した開状態にされる。なお、説明の便宜上、各種処理部のうち、印刷処理部に着目して、以下の説明を行う。メンテナンスカバー２０の開状態および閉状態の詳細については、後述する。
【００５３】
受話器４０は、電話機能による通話を行うためのものである。また、前面パネル５０は、使用者に各種情報を提供したりする表示部（不図示）や、使用者の操作入力を受け付けるための操作部（不図示）を備えるものである。
【００５４】
（ファクシミリ装置の各構成の組み付けについて）
続いて、図３を用いて、ファクシミリ装置１の各構成の組み付けについて説明する。図３は、ファクシミリ装置１の分解斜視図である。なお、図３では、説明の便宜上、筐体５、記録紙トレイ１０、メンテナンスカバー２０、および前面パネル５０以外の構成についてはその記載を省略している。
【００５５】
図３に示すように、ファックス装置１の各部品の組み付けは次のようになっている。
【００５６】
まず、記録紙トレイ１０は、メンテナンスカバー２０に設けられた接続部Ｄ１１、１２において、メンテナンスカバー２０と接続されており、接続部Ｄ１１、１２を通る直線を回動の中心軸として、回動可能になっている。
【００５７】
また、メンテナンスカバー２０は、筐体５に設けられた接続部Ｄ２１、２２において、筐体５と接続されており、接続部Ｄ２１、２２を通る直線を回動の中心軸として回動可能になっている。
【００５８】
そして、前面パネル５０は、筐体５に設けられた接続部Ｄ３１、３２において、筐体５と接続されており、接続部Ｄ３１、３２を通る直線を回動の中心軸として、回動可能になっている。
【００５９】
このように、ファックス装置１では、各部品は、それぞれ２つの接続部において接続されている。すなわち、接続部Ｄ１１、１２、接続部Ｄ２１、２２、接続部Ｄ３１、３２それぞれの間には、軸部材が設けられていない。すなわち、ファックス装置１では、対となる接続部の間に、軸部材が設けられていない分、スペースが有効活用できるようになっている。しかしながら、これに限られず、接続部の間に軸部材を設ける構成としてもかまわない。
【００６０】
（記録紙トレイ、メンテナンスカバーの各状態におけるファクシミリ装置の形態について）
次に、図１、図４、図５、および図６を用いて、ファクシミリ装置１が備える記録紙トレイ１０、メンテナンスカバー２０および給紙ガイド３０について説明する。
【００６１】
図１、図４、図５、および図６それぞれは、図２に示したＸ−Ｘ線における矢視断面図であって、各状態におけるファクシミリ装置１の形態を示す模式図およびその要部を拡大した要部拡大図である。
【００６２】
図４は、記録紙トレイ１０およびメンテナンスカバー２０が、閉状態であるときのファクシミリ装置１の形態を示している。図５は、メンテナンスカバー２０を閉状態とし、かつ記録紙トレイ１０を開状態としたときにおけるファクシミリ装置１の形態を示している。図６は、メンテナンスカバー２０が、開状態の状態であるときにおけるファクシミリ装置１の形態の一例を示している。そして、図１は、メンテナンスカバー２０が開状態のときにおけるファクシミリ装置１の形態を示している。
【００６３】
図１、図４、図５、および図６に示すとおり、メンテナンスカバー２０には、記録紙トレイ１０が、図３で示した接続部Ｄ１１、１２を通る直線である軸Ｐ１を回動軸として回動可能なように取り付けられている。また、メンテナンスカバー２０には、給紙ガイド３０が、軸Ｐ３を回動軸として回動可能なように取り付けられている。そして、メンテナンスカバー２０は、筐体５に、図３で示した接続部Ｄ２１、２２を通る直線である軸Ｐ２を回動軸として回動可能なように取り付けられている。
【００６４】
言い換えれば、記録紙トレイ１０および給紙ガイド３０のそれぞれは、メンテナンスカバー２０に対して回動することができる。
【００６５】
また、記録紙トレイ１０および給紙ガイド３０のそれぞれは、筐体５に回動可能に取り付けられたメンテナンスカバー２０に対して回動可能に取り付けられているので、記録紙トレイ１０および給紙ガイド３０のそれぞれは、メンテナンスカバー２０が回動すれば、その回動に伴って筐体５に対して回動することになる。
【００６６】
記録紙トレイ１０には、突出部１１が設けられている。また、メンテナンスカバー２０は、給紙ローラ２１を備えており、給紙ガイド３０には、係止部３１、突出部（動作規制部）３２、および支持部３３が設けられている。そして、筐体５の背面外装の内側には案内部４２が設けられている。
【００６７】
また、筐体５内には、サーマルヘッド（処理部）４１、インクリボン（処理部）４３が配備されている。すなわち、本実施形態に係るファクシミリ装置１は、例示的に、サーマルヘッド４１が、インクリボン４３の熱転写フィルムを用いた熱転写方式による印刷処理を行うこととしている。
【００６８】
そして、筐体５に搭載されたサーマルヘッド４１、インクリボン４３、およびメンテナンスカバー２０が備えるプラテンローラ（処理部）２２から、印刷処理部が構成されている。この印刷処理部のように、処理部は、筐体５およびメンテナンスカバー２０の両方の部品から構成されていてもよい。また、これに限られず、処理部は、筐体５に搭載されている部品のみから構成されていてもよいし、メンテナンスカバー２０が備える部品のみから構成されていてもよい。つまり、メンテナンスカバー２０が閉じることによって、装置ないに収納される部品によって構成することができる。
【００６９】
（記録紙トレイの開状態および閉状態について）
図４および図５を用いて、記録紙トレイ１０の開状態および閉状態について説明すると次のとおりである。なお、図４および図５において、記録紙トレイ１０が回動したときにおける記録紙トレイ１０の先端部１３の軌跡を軌跡Ｔ１として示している。
【００７０】
すなわち、記録紙トレイ１０を、軌跡Ｔ１に沿って、矢印Ｋ１１の向きに回動させて開いたり、矢印Ｋ１１の向きに回動させて閉じたりすることができる。
【００７１】
このように、記録紙トレイ１０が開閉自在な構成となっているので、ファクシミリ装置１を使用しないときには、図４に示すように、記録紙トレイ１０を閉じておくことができるし、図５に示すように、記録紙トレイ１０を開くこともできる。
【００７２】
記録紙トレイ１０の閉状態とは、図４に示すように、記録紙トレイ１０が、矢印Ｋ１２の方向に閉じられた状態のことである。記録紙トレイ１０が閉状態のときは、記録紙トレイ１０は、メンテナンスカバー２０の上面で静止した状態となる。
【００７３】
一方、記録紙トレイ１０の開状態とは、図５に示すように、記録紙トレイ１０を、矢印Ｋ１１の方向に開いた状態のことである。
【００７４】
（メンテナンスカバーの開状態および閉状態について）
図４、図６および図１を用いて、メンテナンスカバーの開状態および閉状態について説明すると次のとおりである。
【００７５】
図６および図１に示すように、メンテナンスカバー２０は、軸Ｐ２を回動軸として、矢印Ｋ２１の向きに回動して開いたり、矢印Ｋ２２の向きに回動して閉じたりすることができる。
【００７６】
なお、本実施形態では、メンテナンスカバー２０を開くには、前面パネル５０を前面に開いてから、メンテナンスカバー２０を持ち上げる構造だが、前面パネル５０の動作についてはその説明を省略する。また、メンテナンスカバー２０を開く前に、前面パネル５０を前面に開く構造でなくてもよく、前面パネル５０の構造については任意である。
【００７７】
メンテナンスカバー２０の閉状態とは、図４に示すように、メンテナンスカバー２０が、矢印Ｋ１２の方向に閉じられた状態のことである。すなわち、メンテナンスカバー２０の閉状態とは、印刷処理部を収納する状態である。
【００７８】
なお、同図において、メンテナンスカバー２０の先端部２３および軸Ｐ２を通る直線Ｂ−Ｂを、メンテナンスカバー２０の閉状態のときの基準となる基準線Ｈ−Ｈとする。
【００７９】
一方、メンテナンスカバー２０の開状態とは、図１および図６に示すように、メンテナンスカバー２０を、矢印Ｋ２１の方向に回動させて、印刷処理部を露出させた状態のことである。
【００８０】
図１において、基準線Ｈ−Ｈと、メンテナンスカバー２０の先端部２３および軸Ｐ２を通る直線Ｂ−Ｂとがなす回動角度θは、略９０度である。また、図７において、回動角度θは、略７０度である。
【００８１】
すなわち、ファクシミリ装置１では、メンテナンスカバー２０を回動させて、印刷処理部を露出する開状態とすることができる。利用者は、保守等の目的で、メンテナンスカバー２０を開状態にして印刷処理部にアクセスすることができる。
【００８２】
以下、図１、図４、図５、および図６を用いて、各状態におけるファクシミリ装置１の形態について詳細に説明する。
【００８３】
[記録紙トレイおよびメンテナンスカバーが、共に閉状態であるとき]
まず、図４を再度用いて、記録紙トレイ１０およびメンテナンスカバー２０が、共に閉状態であるときのファクシミリ装置１の形態について説明する。
【００８４】
前述のとおり、同図において、基準線Ｈ−Ｈと、メンテナンスカバー２０の先端部２３および軸Ｐ２を通る直線Ｂ−Ｂとがなす回動角度θは、０度である。
【００８５】
ここで、図４に示す要部拡大図Ｗ１を参照して、記録紙トレイ１０の軸Ｐ１、メンテナンスカバー２０の軸Ｐ２、および給紙ガイド３０の軸Ｐ３の付近の形態について説明すると次のとおりである。
【００８６】
要部拡大図Ｗ１に示すとおり、記録紙トレイ１０のヒンジ部１２に突出部１１が設けられている。突出部１１は、軸Ｐ１の周上に、やや背面寄りの位置に設けられている。
【００８７】
要部拡大図Ｗ１において、記録紙トレイ１０が回動したときに、突出部１１の先端が描く軌跡を、軌跡Ｃ１として示している。つまり、軌跡Ｃ１は、突出部１１の回動範囲を示している。要部拡大図Ｗ１の軌跡Ｃ１に示すように、記録紙トレイ１０が回動しても、突出部１１は、その回動範囲において給紙ガイド３０とは接触しない。
【００８８】
また、支持部３３は、案内部４２と接触しており、案内部４２を基礎として、給紙ガイド３０を支持することにより、給紙ローラ２１との間でシートを保持する、弾性体よりなるシート搬送面を給紙ローラ２１への方向に付勢している。言い換えれば、重力方向に回動しようとする給紙ガイド３０を、支持して所定の位置に保っている。これにより、給紙ガイド３０および給紙ローラ２１は、記録紙トレイ１０に設置される記録紙をサーマルヘッド４１等に導くための搬送路を形成する。
【００８９】
また、軸Ｐ３の周上に、軸Ｐ３の上方、やや装置背面寄りの位置に、係止部３１および突出部３２が設けられている。すなわち、係止部３１および突出部３２は、給紙ガイド３０において、軸Ｐ３に対して、支持部３３によって給紙ローラ２１に付勢されている上記シート搬送面とは反対側に位置している。
【００９０】
円周Ｃ３は、軸Ｐ３と、係止部３１の先端と結ぶ線を半径とする円を示している。円周Ｃ３は、記録紙トレイ１０およびメンテナンスカバー２０が、閉状態であるときには、突出部１１と交差しない位置関係にある。よって、係止部３１は、仮に給紙ガイド３０が回動したとしても、突出部１１には接触しない位置関係にある。
【００９１】
[メンテナンスカバーを閉状態とし、かつ記録紙トレイを開状態としたとき]
次に、再び図５を用いて、メンテナンスカバー２０が閉状態であって、記録紙トレイ１０が開状態であるときのファクシミリ装置１の形態について説明する。
【００９２】
ファクシミリ装置１を使用するときには、図５に示すように、記録紙トレイ１０だけを、開状態にして用いる。ファクシミリ装置１を使用するときとは、例えば、ファクシミリ装置１において、ファクシミリを送信する場合、およびファクシミリを受信する場合等である。
【００９３】
メンテナンスカバー２０と、給紙ガイド３０の形態については、記録紙トレイ１０およびメンテナンスカバー２０が、共に閉状態であるときと同様である。
【００９４】
ここで、ファックス装置１の使用例として、ファックスを印刷するときの動作について説明すると次のとおりである。記録紙トレイ１０に設置された記録紙は、印刷過程において、給紙順路Ｌ１に示す方向に順次搬送される。すなわち、記録紙トレイ１０に設置された記録紙は、給紙ローラ２１によって、ファックス装置１内部に搬送される。これにより、搬送される記録紙は、給紙ローラ２１と、給紙ローラ２１へ付勢されているシート搬送面とがなす搬送路を通過して、サーマルヘッド４１が配備されている位置に導かれる。
【００９５】
そして、プラテンローラ２２によって、インクリボンから供給される熱転写フィルムと、記録紙とが搬送され、サーマルヘッド４１において熱転写による印刷が行われる。その後、印刷後の記録紙が搬送されて、メンテナンスカバー２０の上面に排出される。
【００９６】
また、ここで、図４に示す要部拡大図Ｗ２を参照して、記録紙トレイ１０の軸Ｐ１、メンテナンスカバー２０の軸Ｐ２、および給紙ガイド３０の軸Ｐ３の付近の形態について説明すると次のとおりである。
【００９７】
前述のとおり、軌跡Ｃ１は、その回動範囲において給紙ガイド３０とは接触しない位置関係である。すなわち、突出部１１は、給紙ガイド３０とのクリアランスが確保されているため、記録紙トレイ１０が回動したとしても、給紙ガイド３０の係止部３１やその他の部品と接触する位置関係ではない。このように、給紙ガイド３０が記録紙トレイ１０の回動を規制しないので、記録紙トレイ１０を回動させて、閉状態から、開状態にすることができる。
【００９８】
[メンテナンスカバーが、閉状態であるときの例１]
次に、再び図６を用いて、メンテナンスカバー２０が、開状態であるときのファクシミリ装置１の形態の一例について説明する。
【００９９】
図６において、基準線Ｈ−Ｈと、メンテナンスカバー２０の先端部２３および軸Ｐ２を通る直線Ｂ−Ｂとがなす回動角度θは、およそ７０度である。すなわち、メンテナンスカバー２０は、矢印Ｋ２１方向に、約７０度開いている状態である。
【０１００】
図７〜図９を用いて示したように、従来のファクシミリ装置１００においては、メンテナンスカバー１２０が、約７０度開いた状態から、図９で示したように、メンテナンスカバー１２０が、自重により矢印Ｋ１１１の向きに回動し、稼動範囲の限度まで開いてしまっていた。
【０１０１】
これに対して、本実施形態に係るファクシミリ装置１は、このような状態でも記録紙トレイ１０の回動を規制することができる。ここで、図６に示す要部拡大図Ｗ３を参照して、記録紙トレイ１０の回動を規制するしくみについて説明すると次のとおりである。
【０１０２】
要部拡大図Ｗ３に示すとおり、記録紙トレイ１０のヒンジ部１２に設けられた突出部１１は、給紙ガイド３０の係止部３１と、ほぼ接触する位置関係となっている。よって、記録紙トレイ１０は、矢印Ｋ１１方向に回動しようとしても、突出部１１が、係止部３１に接触することになり、その回動動作が規制される。
【０１０３】
突出部１１と、係止部３１とがこのような位置関係となっている理由について説明すると次のとおりである。
【０１０４】
まず、給紙ガイド３０は、メンテナンスカバー２０に設けられているので、メンテナンスカバー２０の回動に従って回動する。
【０１０５】
具体的には、メンテナンスカバー２０が回動して、矢印Ｋ２１方向に開くのに伴い、給紙ガイド３０の軸Ｐ３が、軸Ｐ２を回動軸として回動する。すなわち、メンテナンスカバー２０が、矢印Ｋ２１方向に、約７０度回動すれば、給紙ガイド３０の軸Ｐ３は、軸Ｐ２を回動軸として約７０度回動する。これにより、軸Ｐ２は、装置の背面方向に移動する。
【０１０６】
軸Ｐ２の移動に伴い、支持部３３の先端部３４が、案内部４２の表面上を摺動する。また、支持部３３は、案内部４２の表面上を摺動しつつ、案内部４２を基礎として、給紙ガイド３０を支持する。これにより、給紙ガイド３０は、軸Ｐ３を回動軸として矢印Ｋ３１方向に回動する。
【０１０７】
その結果、突出部１１と、係止部３１とがほぼ接触する位置関係となり、記録紙トレイ１０の回動を規制することができる。
【０１０８】
一方、給紙ローラ２１と、給紙ガイド３０との位置関係に関していえば、メンテナンスカバー２０が回動して、矢印Ｋ２１方向に開くのに伴い、相対的に、給紙ガイド３０は、給紙ローラ２１から離れていく。これにより、例えば、紙詰まり時等において、給紙ガイド３０と、給紙ローラ２１との間にある記録紙を解放することができる。
【０１０９】
すなわち、給紙ガイド３０と、給紙ローラ２１とは、記録紙を、給紙ガイド３０と、給紙ローラ２１とが形成する搬送路から解放する位置関係となる。
【０１１０】
なお、本実施形態では、給紙ガイド３０が、軸Ｐ３を回動軸として矢印Ｋ３１方向に回動する角度は、メンテナンスカバー２０の回動角度よりも小さくなっている。
【０１１１】
[メンテナンスカバーが開状態のときの例２]
次に、再び図１を用いて、メンテナンスカバー２０が開状態であるときのファクシミリ装置１の形態の別の例について説明する。
【０１１２】
前述のとおり、同図において、基準線Ｈ−Ｈと、メンテナンスカバー２０の先端部２３および軸Ｐ２を通る直線Ｂ−Ｂとがなす回動角度θは、略９０度である。
【０１１３】
図１に示す要部拡大図Ｗ１を参照して、記録紙トレイ１０の軸Ｐ１、メンテナンスカバー２０の軸Ｐ２、および給紙ガイド３０の軸Ｐ３の付近の形態について説明すると次のとおりである。
【０１１４】
前述のとおり、メンテナンスカバー２０の回動に伴い、支持部３３の先端部３４が案内部４２上を摺動することにより、給紙ガイド３０が回動する。
【０１１５】
図１に示すメンテナンスカバー２０の回動角度は、図６に示すメンテナンスカバー２０の回動角度よりも大きい。よって、要部拡大図Ｗ１では、要部拡大図Ｗ３で示した状態よりも、さらに給紙ガイド３０が回動しており、係止部３１が、突出部１１に接触するとともに、突出部（動作規制部）３２も、突出部１１に接触している状態になっている。
【０１１６】
このように、係止部３１が、突出部１１に接触することで、記録紙トレイ１０の回動を規制するのに加え、突出部３２が、突出部１１に接触することで、記録紙トレイ１０のブレを抑止し、係止部３１による記録紙トレイ１０の回動の規制を安定させることができる。
【０１１７】
なお、突出部３２は、メンテナンスカバー２０の開状態時に、記録紙トレイ１０が矢印Ｋ１１方向に開くときに突出部１１が回動する方向以外の方向への突出部１１の動きを規制するようになっていてもよい。
【０１１８】
すなわち、給紙ガイド３０において、突出部３２は、メンテナンスカバー２０の開状態時に、突出部１１の軸Ｐ１方向の面に接する位置に設けられていてもよい。さらに言い換えれば、給紙ガイド３０において、突出部３２は、メンテナンスカバー２０の開状態時に、突出部１１に対して、矢印Ｋ２１または矢印Ｋ２２に対し略垂直方向にずれた位置に移動するような位置に設けられ、これにより、突出部３２と、突出部１１とが接するような構成になっていてもよい。
【０１１９】
上記構成によれば、メンテナンスカバー２０の開状態時における記録紙トレイ１０の軸Ｐ１方向のブレを抑止することができる。
【０１２０】
（作用・効果）
本発明に係るファクシミリ装置１は、記録紙をサーマルヘッド４１、インクリボン４３、プラテンローラ２２から構成される印刷処理部と、装置本体に回動可能に取り付けられ、印刷処理部を収納する閉状態と、印刷処理部を露出させる開状態との間で回動するメンテナンスカバー２０と、メンテナンスカバー２０に回動可能に取り付けられた、記録紙を設置するための記録紙トレイ１０と、メンテナンスカバー２０に回動可能に取り付けられた、記録紙トレイ１０に設置されたシートを印刷処理部に導くための給紙ガイド３０と、を備えたファクシミリ装置１において、記録紙トレイ１０は、メンテナンスカバー２０に対する回動に伴って回動する突出部１１が設けられており、給紙ガイド３０は、メンテナンスカバー２０に対する回動に伴って、メンテナンスカバー２０が開状態のときには、突出部１１を係止する係止位置に移動して、記録紙トレイ１０の回動を規制する一方、メンテナンスカバー２０が閉状態のときには、突出部１１を解放する解放位置に移動して、記録トレイ１０の回動を可能とする係止部３１が設けられている構成である。
【０１２１】
よって、複雑な機構の追加なく、カバーが開状態のときに利用者の意に反してシートトレイが開くことを防止することができる。
【０１２２】
図７〜図９を用いて示した、従来のファクシミリ装置１００は、メンテナンスカバー１２０を閉じたときに、給紙ガイド１３０が、記録紙を処理部に導くための搬送路を形成する位置に移動し、メンテナンスカバー１２０を開けたときに給紙ガイド１２０が、記録紙を搬送路から解放する位置に移動するような構成であった。
【０１２３】
よって、このようなファクシミリ装置１００の給紙ガイド１３０において、係止部３１に相当する部品を設ければ、給紙ガイド１３０が記録紙を処理部に導くための搬送路を形成する位置にあるときには、当該部品が解放位置に移動することになり、給紙ガイド１３０が記録紙を搬送路から解放する位置にあるときは、当該部品が係止位置に移動することになる。
【０１２４】
よって給紙ガイド１３０の回動動作を利用して、上記部品を移動させることができるので、給紙ガイド１３０の構造を大きく変更することなく係止部３１に相当する部品を設けることが可能となる。
【０１２５】
言い換えれば、ファクシミリ装置１において、給紙ガイド３０は、メンテナンスカバー２０に対する回動するにより、記録紙を印刷処理部に導くための搬送路を形成する位置にあるとき、係止部３１を解放位置に配置する一方、記録紙を搬送路から解放する位置にあるとき、係止部３１を係止位置に配置する構成である。
【０１２６】
（突出部および係止部の構成例）
以下、突出部１１および係止部３１を、軸Ｐ１、Ｐ３方向に関し、どのように構成することができるかについて説明する。
【０１２７】
図３を用いて説明したとおり、本実施形態では、記録紙トレイ１０と、メンテナンスカバー２０との接続部Ｄ１１、１２の２点において接続されており、接続部Ｄ１１、１２の間には軸部材が設けられていない構成としている。
【０１２８】
このため、突出部１１は、接続部Ｄ１１、１２付近に設けることが好ましい。しかしながら、これに限られず、突出部１１は、例えば、接続部Ｄ１１、１２に軸部材が設けられているのであれば、この軸部材に沿って、連続的に形成してもかまわない。
【０１２９】
また、係止部３１は、給紙ガイド３０において、突出部１１の形状に合わせて、突出部１１に対向する位置に設けることができる。すなわち、係止部３１は、突出部１１に対向して、接続部Ｄ１１、１２付近に設けてもよいし、接続部Ｄ１１、１２の間に連続的に設けてもよい。突出部３２についても同様である。
【０１３０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３１】
本発明は、薄板、紙などのシートを処理部に供給するようなシート処理装置に利用することができる。このため、ファクシミリ装置をはじめとして、印刷装置などに好適に適用可能である。
【符号の説明】
【０１３２】
１    ファクシミリ装置（シート処理装置）
５    筐体（装置本体）
１０    記録紙トレイ（シートトレイ）
１１    突出部
１２    ヒンジ部
１３    先端部
２０    メンテナンスカバー（カバー）
２１    給紙ローラ
２２    プラテンローラ（処理部）
２３    先端部
３０    給紙ガイド
３１    係止部
３２    突出部（動作規制部）
４１    サーマルヘッド（処理部）
４３    インクリボン（処理部）
Ｋ１１、Ｋ１２、Ｋ２１、Ｋ２２    矢印
Ｐ１、Ｐ２、Ｐ３    軸
Ｔ１、Ｔ２    軌跡
【図１】
2011035666.tif 000003
【図２】
2011035666.tif 000004
【図３】
2011035666.tif 000005
【図４】
2011035666.tif 000006
【図５】
2011035666.tif 000007
【図６】
2011035666.tif 000008
【図７】
2011035666.tif 000009
【図８】
2011035666.tif 000010
【図９】
2011035666.tif 000011